(57)【要約】【課題】印字及び点字の形成のいずれも可能な冊子プリンタにおいて、装置を小型化し、製造コストを低減する。【解決手段】頁捲り装置４は、主搬送路３上に設けられ冊子の頁捲りを行なう。インパクトドットヘッド１５は、冊子搬送路５上に設けられている。そして、同一のインパクトドットヘッド１５を制御して、冊子の紙面上への印字も、点字の形成も、いずれも行なうようにする。【選択図】　　　　図１
2004082443.tif 000002
【特許請求の範囲】
【請求項１】
冊子を搬送する搬送路と、
前記搬送路上に設けられ前記冊子の頁捲りを行なう頁捲り装置と、
前記搬送路上に設けられたインパクトドットヘッドと、
前記インパクトドットヘッドを制御して前記冊子の紙面上に印字を行なう印字手段と、
前記インパクトドットヘッドを制御して前記冊子の紙面上に点字の形成を行なう点字形成手段と、
を備えている冊子プリンタ。
【請求項２】
前記インパクトドットヘッドと前記冊子との相対位置を移動して前記印字及び点字形成の位置を決める位置決め装置と、
前記位置決め装置を制御して前記冊子の紙面における前記印字の領域と前記点字の形成の領域とを区別して、前記冊子の同一用紙における同一位置の両面で前記印字と前記点字の形成との重なりを防止する領域制御手段と、
を備えている請求項１に記載の冊子プリンタ。
【請求項３】
前記領域制御手段は、前記冊子の同一用紙における同一位置の両面で前記点字の形成の領域を区別して、前記冊子の同一用紙における同一位置の両面で前記点字の形成同士の重なりも防止する、
請求項２に記載の冊子プリンタ。
【請求項４】
前記点字形成手段は、形成しようとする点字を上下又は左右を反転した点字の形を前記インパクトドットヘッドのピンで打つことにより、当該打った頁の裏面に点字の凸部を形成する、
請求項１〜３の何れかの一に記載の冊子プリンタ。
【請求項５】
前記点字形成手段は、前記ピンのインパクト力を前記印字手段による前記印字を前記インパクトドットヘッドで行なう場合とは別に制御する、
請求項４に記載の冊子プリンタ。
【請求項６】
前記点字形成手段は、前記ピンのインパクト力を前記印字手段による前記印字を前記インパクトドットヘッドで行なう場合より大きくする、請求項５に記載の冊子プリンタ。
【請求項７】
前記点字形成手段は、前記ピンのインパクト力の制御を前記インパクトドットヘッドの通電時間、電流又は電圧を制御することで行なう、
請求項５又は６に記載の冊子プリンタ。
【請求項８】
前記点字形成手段は、前記点字のドットの形成をその外形部のみで行い、中央部では行なわない、
請求項４〜７の何れかの一に記載の冊子プリンタ。
【請求項９】
前記点字形成手段は、前記点字のドットの形成をその外形部では中央部より前記インパクト力を大きくする、
請求項４〜７の何れかの一に記載の冊子プリンタ。
【請求項１０】
前記冊子に記録されている所定の情報を読取る読取装置と、
この読取った情報に応じて同一情報についての前記印字手段による印字及び前記点字形成手段による点字の形成と、前記印字手段による印字のみの実行とを選択的に実行する選択手段と、
を備えている請求項１〜９の何れかの一に記載の冊子プリンタ。
【発明の詳細な説明】
【０００１】
【発明の属する技術分野】
本発明は、通帳等の冊子の紙面に印字及び点字の形成を行なう冊子プリンタに関する。
【０００２】
【従来の技術】
通帳などの冊子に印字する冊子プリンタでは、冊子の紙面に印字を行なう他に必要に応じて点字の形成も行なう場合がある。このような冊子プリンタでは、従来、印字用のインパクトドットヘッドと、点字の形成用のインパクトドットヘッドとを別個に備えていて、それぞれ別々に印字、点字の形成を行っていた。
【０００３】
【発明が解決しようとする課題】
しかしながら、従来のように印字用と点字の形成用とでそれぞれインパクトドットヘッドを設けるようにすると、装置構成が煩雑となり、装置が大型化し、製造コストを高めてしまう。
【０００４】
本発明の目的は、印字及び点字の形成のいずれも可能な冊子プリンタにおいて、装置を小型化し、製造コストを低減することである。
【０００５】
【課題を解決するための手段】
本発明の冊子プリンタは、冊子を搬送する搬送路と、この搬送路上に設けられ冊子の頁捲りを行なう頁捲り装置と、搬送路上に設けられたインパクトドットヘッドと、を備えている。そして、印字手段は、このインパクトドットヘッドを制御して冊子の紙面上に印字を行なう。また、点字形成手段は、印字手段と共通のインパクトドットヘッドを制御して冊子の紙面上に点字の形成を行なう。
【０００６】
【発明の実施の形態】
本発明の一実施の形態について説明する。
【０００７】
図１を参照して冊子プリンタ１の構成について説明する。プリンタ本体２には、冊子を案内する搬送路となる主搬送路３が形成されている。この主搬送路３には頁捲り装置４に冊子を搬送する搬送路となる冊子搬送路５が接続されている。
【０００８】
主搬送路３には、搬送装置となる複数の搬送ローラ１１，１２が設けられている。駆動側の搬送ローラ１１には、従動側の搬送ローラ１２が圧接されている。主搬送路３の冊子搬送方向の上流側には、閉じられた状態の新規冊子を保持しその新規冊子を主搬送路３へ供給する冊子発行部１３が設けられている。主搬送路３の冊子搬送方向の下流側には、冊子発行口１４が形成されている。
【０００９】
また、主搬送路３の中央部には、インパクトドットヘッド１５、このインパクトドットヘッド１５に対向するプラテン１６、冊子のページマークや印字済の行の文字等を光学的に読取る読取装置１７、冊子の裏表紙などに形成されている磁気ストライプの記録情報を磁気的に読取る読取装置１８が設けられている。
【００１０】
冊子搬送路５上の頁捲り装置４は、見開きの冊子のページ捲りを行なう周知の基本構成の装置である（例えば、特開２００１−２１３０６７公報を参照）。
【００１１】
ここで、図２を参照して冊子プリンタ１の制御系の電気的な接続について説明する。プログラム等の固定データが記憶されているＲＯＭ２１と、このプログラムに基づいて各種演算を行い、各部を集中的に制御するＣＰＵ２２と、ワークデータ等の可変データを更新自在に格納するＲＡＭ２３と、インターフェース２４とがシステムバス２５により接続されている。
【００１２】
また、読取装置１７が備えているＣＣＤセンサ２６を駆動するＣＣＤセンサ駆動回路２７と、インパクトドットヘッド１５を駆動するインパクトドットヘッド駆動回路２８と、読取装置１８が備えている磁気センサ２９を駆動する磁気センサ駆動回路３０と、頁捲り装置４の各種モータ３１を駆動するモータ駆動回路３２と、頁捲り装置４の各種センサ３３を駆動するセンサ制御回路３４と、搬送ローラ１１を駆動する搬送モータ３５を駆動する搬送モータ駆動回路３２とが、システムバス２５を介してＣＰＵ２２に接続されている。
【００１３】
このような装置構成において、冊子プリンタ１は、見開きの冊子を見開き側を上にして主搬送路３、冊子搬送路５を搬送し、頁捲り装置４により必要なページにページめくりし、所望のページに対してインパクトドットヘッド１５により印字を行なう。また、インパクトドットヘッド１５は所望のページに対して点字の形成も行なうことができる。
【００１４】
冊子上での印字位置、点字の形成位置の移動は、冊子の同一行での移動についてはインパクトドットヘッド１５の左右のローラ１１，１２で送り、また、冊子の改行移動は図１の紙面の垂直方向に冊子を送る図示しないローラにより行なうことができる。また、インパクトドットヘッド１５の移動により、行ってもよい。
【００１５】
インパクトドットヘッド１５により行なう点字の形成について具体的に説明する。例えば、φ１．４ｍｍの点字ドットの用紙上への形成は、インパクトドットヘッド１５でワイヤドット（φ０．２２ｍｍ）を複数形成し、もって単一の点字ドットを形成することで行なう。
【００１６】
このとき、漢字も印字できるφ０．２２ｍｍのピンを備えた通常インパクトドットヘッド１５を使用した場合、最低でも６列は必要と考えられる。これを１列ずつ印字した場合、凸部の形成をシャープにすることができず、また時間がかかる。そこで、３列×９ピン＝２７ピンのインパクトドットヘッド１５を用いて２回で一つの点字ドットを形成する。
【００１７】
図３は、この場合のインパクトドットヘッド１５の一例の先端部の平面図である。図３に示すように、このインパクトドットヘッド１５は、ピン４１の配列が３列×９ピン＝２７ピンである。そして、図４に示すような２×３ドットの点字で（図４において、斜線のドット４２が現実に形成されるドットである）、その右上のドット４２を形成する場合には、図５に示すように、直径Ｄ＝φ１．４ｍｍのドット４２を形成するために、ａ，ｂ列の全てのピン４１とｃ列の奇数のピン４１を打ち、続いてｃ列の偶数のピン４１とｄ，ｅ列の全てのピン４１を打つなど、インパクトドットヘッド１５の性能に応じて様々な打ち方が考えられる。
【００１８】
また、インパクトドットヘッド１５で点字を形成する場合と通常の印字を行なう場合とでは、各ピン４１による必要なインパクト力が異なるため、インパクトドットヘッド１５を駆動する際の通電時間、電流又は電圧も異なる。
【００１９】
すなわち、３列×９ピン＝２７ピンのすべてを用いて点字形成を行なった場合、インパクトドットヘッド１５やインパクトドットヘッド駆動回路２８の電気的な負荷が大きくなるため、点字ドットの外形部のみを形成して、中央部を形成しないようにするか（図６参照）、あるいは、ドットの外形部以外の中央部分は、外形部よりインパクト力を小さくして印字を行なうことにより、電気的な負荷を低減させるようにしてもよい。そして、１．４ｍｍの凸部を形成するためには、通常印字でのインパクト力では不十分であり、通電時間、電流又は電圧を増大するようにする。
【００２０】
さらに、冊子５１のように上下に見開く冊子のある頁に点字を形成する場合、その頁の用紙の裏から、形成しようとする点字の上下又は左右（冊子５１のように上下に見開いて冊子の綴じ目方向に印字する場合は上下、冊子を左右に見開いて冊子の綴じ目方向と直交する方向に印字する場合は左右）を反転させた点字（図４の点字の点字の例なら図７の点字）を形成するように、各ピン４１を打つ必要がある。
【００２１】
図８〜図１１は、このようにして預金通帳である冊子に形成された点字の例を示すものである。図８は、冊子の「年月日」の欄（合計８桁）に平成１４年０１月０１日を示す“１４−０１−０１”を点字で形成したもので、数符の後に“１４−０１−０１”の各文字を表わす点字を形成している。図９は、冊子の「お支払金額」の欄（合計１３桁）に“ふつうよきんりそく（普通預金利息）”と“シズオカギンコウミシマ”の文字を点字で形成している。図１０は、冊子の「お預かり金額」の欄（合計１３桁）に数符とそれに続く１，２３４，５６７，８９０円を示す“１，２３４，５６７，８９０”の文字を表わす点字を形成している。図１１は、「差引残高」の欄（合計１３桁）数符とそれに続く１，２３４，５６７，８９０円を示す“１，２３４，５６７，８９０”の文字を表わす点字を形成している。
【００２２】
図１２は、預金通帳である冊子５１の上下見開きの平面図である。この冊子プリンタ１では、前述のように、同一の冊子５１に対してインパクトドットヘッド１５により印字も点字の形成も両方可能である。しかしながら、点字の形成は用紙に凹凸ができることになるため、同一の用紙の片面に点字の凸部を形成すると、その点字の形成位置における他の片面（点字の凹部側）には点字の凹凸により印字が行ないにくくなる。また、同一用紙の両面の対応する位置にそれぞれ点字を形成することも、両面で凹凸の方向が反対となるため、お互いの点字が打ち消しあうこととなり、困難となる。
【００２３】
そこで、図１２の冊子５１では、各頁とも上から順に連続する３行を１組として、この１組の１、２行目を点字の形成専用とする点字形成欄５２，５３とし、３行目を印字専用とする印字欄５４とし、さらに、点字形成欄５２は、見開きの上側の頁に点字を印字する専用の欄とし、点字形成欄５３は、見開きの下側の頁に点字を印字する専用の欄とする。このように、点字の形成、印字を行なう欄を区別することにより、領域制御手段を実現する。
【００２４】
このようにすれば、同一用紙の両面において、点字の形成と印字とが重なることがなく、また、点字の形成同士が重なることもなくなるので、印字も点字の形成も良好に行なうことができる。
【００２５】
このように、各頁において上から順に点字形成欄５２，５３及び印字欄５４の１組が連続する冊子５１を点字専用通帳とし、裏表紙に形成されている磁気ストライプに通常の通帳と区別する識別情報を記録しておき、視覚障害者あるいはその家族等が使用する通帳として配布する。
【００２６】
図１３は、冊子プリンタ１の動作を説明するフローチャートである。ＣＰＵ２２は、ＲＯＭ２１に記憶されているプログラムに基づいて以下のような制御を行なう。図１３に示すように、冊子（通帳）を見開きで冊子発行口１４に挿入したことを図示しないセンサが検知すると（ステップＳ１のＹ）、通帳の裏表紙に形成されている磁気ストライプに記録されている情報を読取装置１８で読取る（ステップＳ２）。この読取った情報から通帳が前述の冊子５１か通常の通帳か判断する（ステップＳ３）。ステップＳ３により選択手段を実現する。
【００２７】
通帳が前述の冊子５１であるときは（ステップＳ３のＹ）、当該冊子５１には必要な情報を印字し、さらに同一情報について点字の形成も行なう必要がある。そこで、前回印字等を行った際の最終頁及び最終印字行の位置を磁気ストライプから読取る（ステップＳ４）。また、冊子発行口１４から挿入された冊子５１の見開かれている頁の例えば右上に印刷されている頁認識バーコードを読取る（ステップＳ５）。そして、磁気ストライプから読取った前回印字等を行った際の最終頁の位置と、認識バーコードから読取った現在の頁とを比較して（ステップＳ６）、次の印字位置を開くために頁捲りが必要か否か判断する。
【００２８】
そして、「年月日」「お支払金額」「お預かり金額」「差引残高」の各欄に印字しようとする情報を点字コードに変換する（ステップＳ７）。そして、前述のように形成しようとする点字の上下又は左右を反転させた点字を形成するため、この点字コードの点字を上下又は左右に反転させた新たな点字コードに変換する（ステップＳ８）。すなわち、ステップＳ７で図４の点字の点字コードに変換したときは、図７の点字の点字コードに変換する。また、ステップＳ７で点字コードに変換したものと同一の情報を文字コードに変換する（ステップＳ９）。
【００２９】
次に、ステップ６の判断で頁捲りが必要なときは（ステップＳ１０のＹ）、頁捲り装置４に通帳を搬送して、次に点字の形成を行なう頁に頁捲りする（ステップＳ１１）。前述のように、点字を形成するためには点字の凸部を形成する頁の裏面からインパクトドットヘッド１５のピン４１で打つ必要があるため、点字を形成しようとする頁の裏面が開かれるように、頁捲りを行なう。
【００３０】
そして、点字の形成等を行なうのが見開きの上頁であるときは、前回までの印字、点字形成位置の直後に位置する点字形成欄５２の裏面位置を印字開始位置とし、点字の形成等を行なうのが見開きの下頁であるときは、前回までの印字、点字形成位置の直後に位置する点字形成欄５３の裏面位置を印字開始位置とするように、インパクトドットヘッド１５のよる印字位置に通帳を搬送して（ステップＳ１２）、以下のとおり点字の形成を行なう。
【００３１】
すなわち、点字コードに基づいて、インパクトドットヘッド１５により点字の１列目（１，４点）を形成し（ステップＳ１３）、通帳を２．３ｍｍ送る（ステップＳ１４）。次に、点字の２列目（２，５点）を形成し（ステップＳ１５）、通帳を２．３ｍｍ送る（ステップＳ１６）。同様に、点字の３列目（３，６点）を形成する（ステップＳ１７）。これらの点字の形成を行なう際には、前述のように、インパクトドットヘッド１５を駆動する際の通電時間、電圧等を、印字を行なう場合とは変える。このようにして、インパクトドットヘッド１５で打たれた頁には点字の凹部が形成され、その裏面の点字形成欄５２又は５３には、点字の凸部が形成される。なお、このように行なわれる点字の具体的な形成手段については前述したとおりである。ステップＳ１３〜Ｓ１７により点字形成手段を実現している。
【００３２】
次に、通帳を再度頁捲り装置４に搬送して頁捲りを行い、前述の点字形成欄５２又は５３に点字の凸部が形成された頁を開く（ステップＳ１８）。そして、その頁の前回までの印字、点字形成位置の直後に位置する印字欄５４を印字位置とするように、インパクトドットヘッド１５のよる印字位置に通帳を搬送して（ステップＳ１９）、印字欄５４に印字を行なう（ステップＳ２０）。ステップＳ２０により印字手段を実現している。
【００３３】
こうして、一連の印字、点字の形成を完了したら、通帳を読取装置１８に搬送して、その最終位置の印字、点字形成位置を磁気ストライプに記録し（ステップＳ２１）、冊子発行口１４に排出する（ステップＳ２２）。
【００３４】
なお、ステップＳ１３〜Ｓ１７の点字の形成は、複数行に点字の形成が必要であれば連続して実行し、さらに、次の見開き頁にも点字の形成が必要であれば、頁捲り装置４で頁捲りを行なった後、その見開き頁にも点字の形成を行なう。ステップＳ２０の印字も、複数行に印字が必要であれば連続して実行し、さらに、次の見開き頁にも印字が必要であれば、頁捲り装置４で頁捲りを行なった後、その見開き頁にも印字を行なう。この場合に、印字及び点字の形成が複数の見開き頁にまたがる場合には、最初の見開き頁に通常の印字を行い、その後、次の見開き頁に頁捲りして、この見開き頁の印字と前の見開き頁の下頁の点字形成とを行なう、という作業を繰り返せば、頁捲りを高速化でき、一連の処理を効率化することができる。
【００３５】
通帳が通常の通帳であるときは（ステップＳ３のＮ）、前回印字等を行った際の最終頁及び最終印字行の位置を磁気ストライプから読取る（ステップＳ２３）。また、冊子発行口１４から挿入された通帳の見開かれている頁の例えば右上に印刷されている頁認識バーコードを読取る（ステップＳ２４）。そして、磁気ストライプから読取った前回印字等を行った際の最終頁の位置と、認識バーコードから読取った現在の頁とを比較して（ステップＳ２５）、次の印字位置を開くために頁捲りが必要か否か判断する。
【００３６】
次に、「年月日」「お支払金額」「お預かり金額」「差引残高」の各欄に印字しようとする情報を文字コードに変換する（ステップＳ２６）。ステップ２５の判断で頁捲りが必要なときは（ステップＳ２７のＹ）、頁捲り装置４に通帳を搬送して、次に印字を行なう頁に頁捲りする（ステップＳ２８）。
【００３７】
そして、その頁の前回までの印字、点字形成位置の直後の位置を印字位置とするように、インパクトドットヘッド１５のよる印字位置に通帳を搬送して（ステップＳ２９）、印字欄５４に印字を行なう（ステップＳ３０）。ステップＳ３０の印字も、複数行に印字が必要であれば連続して実行し、さらに、次の見開き頁にも印字が必要であれば、頁捲り装置４で頁捲りを行なった後、その見開き頁にも印字を行なう。
【００３８】
以上のような処理により、通帳が冊子５１である場合には、「年月日」「お支払金額」「お預かり金額」「差引残高」の各欄に同一の情報が印字文字と点字の両方で記録されることになる。そして、このように点字が形成された冊子５１を保管する際には、図１４に示すような保護ケース６１を用いるのが望ましい。この保護ケースは、冊子５１の閉じ目５１ａを奥にして収納するケースで、この閉じ目５１ａが収納される奥部６２からケース本体６３が末広がりに広がっている。そのため、冊子５１は、固く閉じられた状態にならず、頁間がやや広がった状態で収納されるので、点字がつぶれてしまうことがない。
【００３９】
以上の実施の形態の説明からも明らかなように、請求項２に記載の発明は、解決すべき課題が用紙の同一位置の両面で一方に点字を形成すると他方に印字を適正に行なうことができないという点の解決にある。そのため、請求項１に記載の発明において、インパクトドットヘッドと冊子との相対位置を移動して印字及び点字形成の位置を決める位置決め装置と、位置決め装置を制御して冊子の紙面における印字の領域と点字の形成の領域とを区別して、冊子の同一用紙における同一位置の両面で印字と点字の形成との重なりを防止する領域制御手段と、を備えている。これにより、冊子の同一用紙における同一位置の両面で印字と点字の形成との重なりを防止できるので、用紙の一方の面に点字を形成しても他方の面に印字を適正に行なうことができる。
【００４０】
請求項３に記載の発明は、解決すべき課題が、用紙の同一位置の両面で一方に点字を形成し他方にも点字の形成をすると、先に形成された点字が読取れなくなってしまうという点の解決にある。そのため、請求項２に記載の発明において、領域制御手段は、冊子の同一用紙における同一位置の両面で点字の形成の領域を区別して、冊子の同一用紙における同一位置の両面で点字の形成同士の重なりも防止するようにする。これにより、冊子の同一用紙における同一位置の両面で点字の形成同士の重なりも防止するので、先に形成した用紙の一方の面の点字が読取れなくなってしまうことがない。
【００４１】
請求項４に記載の発明は、請求項１〜３の何れかの一に記載の発明において、点字形成手段は、形成しようとする点字を上下又は左右を反転した点字の形を前記インパクトドットヘッドのピンで打つことにより、当該打った頁の裏面に点字の凸部を形成する。
【００４２】
請求項５に記載の発明は、解決すべき課題が、同一のインパクトドットヘッドで印字も点字の形成も行なう場合、同じインパクト力では印字と点字の形成の両方を適正に行なうことができないという点の解決にある。そこで、請求項４に記載の発明において、点字形成手段は、ピンのインパクト力を印字手段による印字をインパクトドットヘッドで行なう場合とは別に制御する。したがって、印字も点字の形成もそれぞれ妥当なインパクト力で行なって、印字と点字の形成の両方を適正に行なうことができる。
【００４３】
請求項６に記載の発明は、解決すべき課題が、同一のインパクトドットヘッドで印字も点字の形成も行なう場合、同じインパクト力では印字と点字の形成の両方を適正に行なうことができないという点の解決にある。そこで、請求項５に記載の発明において、点字形成手段は、ピンのインパクト力を印字手段による印字をインパクトドットヘッドで行なう場合より大きくする。したがって、点字の形成を印字の場合より大きな適正なインパクト力で実行して、点字の形成を適正に行なうことができる。
【００４４】
請求項７に記載の発明は、請求項５又は６に記載の発明において、点字形成手段は、ピンのインパクト力の制御をインパクトドットヘッドの通電時間、電流又は電圧を制御することで行なう。
【００４５】
請求項８に記載の発明は、解決すべき課題が、点字の形成によりインパクトドットヘッドやその駆動系の電気的な負荷が大きい点の解決にある。そこで、請求項４〜７の何れかの一に記載の発明において、点字形成手段は、点字のドットの形成をその外形部のみで行い、中央部では行なわない。したがって、ドットの中央部では点字の形成を行なわないので、インパクトドットヘッドやその駆動系の電気的な負荷を低減できる。
【００４６】
請求項９に記載の発明は、解決すべき課題が、点字の形成によりインパクトドットヘッドやその駆動系の電気的な負荷が大きい点の解決にある。そこで、請求項４〜７の何れかの一に記載の発明において、点字形成手段は、点字のドットの形成をその外形部では中央部よりインパクト力を大きくする。したがって、ドットの中央部では点字の形成を行なわないので、インパクトドットヘッドやその駆動系の電気的な負荷を低減できる。
【００４７】
請求項１０に記載の発明は、請求項１〜９の何れかの一に記載の発明において、冊子に記録されている所定の情報を読取る読取装置と、この読取った情報に応じて同一情報についての印字手段による印字及び点字形成手段による点字の形成と、印字手段による印字のみの実行とを選択的に実行する選択手段と、を備えている。
【００４８】
【発明の効果】
本発明の冊子プリンタによれば、共通のインパクトドットヘッドで、印字と点字の形成のいずれも行なうことができるので、装置構成を簡易にして、装置の小型化、製造コストの低減を図ることができる。
【図面の簡単な説明】
【図１】本発明の実施の形態である冊子プリンタの全体の装置構成を説明する縦断面図である。
【図２】冊子プリンタの電気的な接続を示すブロック図である。
【図３】冊子プリンタのインパクトドットヘッドの先端部の平面図である。
【図４】インパクトドットヘッドで形成する２×３ドットの点字の一例を示す平面図である。
【図５】点字の１ドットを形成する際にインパクトドットヘッドのピンを打つ位置を示す平面図である。
【図６】点字の１ドットを形成する際にインパクトドットヘッドのピンを打つ位置のほかの例を示す平面図である。
【図７】図５の点字を上下に反転させた点字の平面図である。
【図８】通帳の「年月日」欄に対する点字の形成例を示す平面図である。
【図９】通帳の「お支払金額」欄に対する点字の形成例を示す平面図である。
【図１０】通帳の「お預かり金額」欄に対する点字の形成例を示す平面図である。
【図１１】通帳の「差引残高」欄に対する点字の形成例を示す平面図である。
【図１２】通帳の見開きの平面図である。
【図１３】冊子プリンタの動作を説明するフローチャートである。
【図１４】通帳を収納する保護ケースの説明図である。
【符号の説明】
１　　　冊子プリンタ
３　　　搬送路
４　　　頁捲り装置
５　　　搬送路
１５　　インパクトドットヘッド
【図１】
2004082443.tif 000003
【図２】
2004082443.tif 000004
【図３】
2004082443.tif 000005
【図４】
2004082443.tif 000006
【図５】
2004082443.tif 000007
【図６】
2004082443.tif 000008
【図７】
2004082443.tif 000009
【図８】
2004082443.tif 000010
【図９】
2004082443.tif 000011
【図１０】
2004082443.tif 000012
【図１１】
2004082443.tif 000013
【図１２】
2004082443.tif 000014
【図１３】
2004082443.tif 000015
【図１４】
2004082443.tif 000016